(57)【要約】【課題】  ひとつの母体ファイルに複数の子ファイルが連結されている母体ファイルの記録を終了させたり、撮影モードを変更したり、装置の電源をオフした場合であっても、関連付け情報を保持し、関連記録を継続できるデジタルカメラを提供する。【解決手段】  静止画像データに加え、動画データや音声データを記録再生する各種の機能モードを持つと共に、各データを関連付け情報によって関連付けて記録するデジタルカメラであって、前記関連付け情報が、前記各種の機能モードの内のどの機能モードを経ても保持され、前記関連付け情報に従い関連記録機能が実施される構成となっている。【選択図】      図４
2004304777.tif 000002
【特許請求の範囲】
【請求項１】
少なくとも静止画データの記録機能或いは再生機能の他に、動画データ或いは音声データの記録機能或いは再生機能を持つと共に、これらの静止画データ或いは動画データ或いは音声データにおいて同種或いは異種の複数のデータを、同時或いは所定の順で記録するための継続モードを持っており、この継続モードに基づいて前記複数のデータを関連付けて記録若しくは再生可能とする画像撮影装置であって、
前記継続モードは、前記継続モードを用いた第１のデータの記録後に、該第１のデータの関連付け情報を維持し、前記継続モードを用いない第２のデータの記録を行った後に、再度、前記継続モードが選択された場合には、新たに記録する第３のデータを、前記第１のデータに対して関連付けさせる機能を有することを特徴とする画像撮影装置。
【請求項２】
請求項１に記載の画像撮影装置であって、関連付けされる前記複数のデータは、通常静止画モード、通常動画モード、通常音声モード、継続静止画モード、継続動画モード、継続音声モード、再生モードの内の少なくとも１つのモードにより、処理されるものであることを特徴とする画像撮影装置。
【請求項３】
請求項２に記載の画像撮影装置であって、撮影・再生動作を禁止した低消費電力の電源停止状態を経ても、前記関連付け情報が保持され、再び継続モードになった場合には、前記関連付け情報に従い関連記録機能が実施されることを特徴とする画像撮影装置。
【請求項４】
請求項２に記載の画像撮影装置であって、前記関連付け情報に、関連付け記録されたデータの相互の時間若しくは記録された個々の時刻などの時間情報が含まれることを特徴とする画像撮影装置。
【請求項５】
請求項２に記載の画像撮影装置であって、前記継続モードにおいて、複数の関連付け情報が選択可能であることを特徴とする画像撮影装置。
【請求項６】
請求項２に記載の画像撮影装置であって、前記継続モードでは、動画若しくは音声録音の連続データが記録されると共に、静止画が記録されることを特徴とする画像撮影装置。
【請求項７】
請求項２に記載の画像撮影装置であって、前記関連付け情報が、ファイル内に情報として記録されることを特徴とする画像撮影装置。
【発明の詳細な説明】
【技術分野】
【０００１】
この発明は、静止画像データに加え、動画データや音声データを記録再生可能な画像撮影装置（デジタルカメラ）に関し、特に、ひとつの母体ファイルに複数の子ファイルが連結されている母体ファイルの記録を終了させたり、撮影モードを変更したり、装置の電源をオフした場合であっても、関連付け情報を保持し、関連記録を継続できるデジタルカメラに関するものである。
【背景技術】
【０００２】
最近のデジタルカメラは、静止画像データに加え、動画データや音声データを記録再生可能となってきている。ここで、さらに、各データを関連付けて記録できれば、そのデータの有益性があがる。
例えば、静止画像データと音声データを１つのグループとして管理できれば、静止画に対する撮影者の音声コメントも付けたりすることができる。このデータ間の関連付けは、各データを、１つのファイルとして結合させたり、また、個別ファイルであってもファイル名の番号で関連付けを行う方式がすでに商品化されている。
前記ファイル名の番号で関連付けを行う方法としては、例えば画像ファイル名がImage0003.jpgの場合は、音声ファイル名をSound0003.wavのように、拡張子を異ならせ、ファイル名を同じものとする方法がある。
すなわち、画像再生時に、画像ファイルのファイル名と同じファイル名を有する音声ファイルがあった場合は、その音声の自動再生をするようにする。
上述の例は、単独のデータ同士の関連付けであるが、たとえば、音声データを連続して記録して、その間に静止画撮影を可能とし、その音声データと静止画データを関連付ける方式も提案されている。例えば、特開平１１−２０３７８３号公報などである。これを再生した場合、音声再生に合わせて、静止画も順次表示することも可能となる。
なお、先行技術として、特開平１１−２０３７８３号公報、特開平９−２３８３０３号公報、特開平１１−１３６６２３号公報、特開２０００−１９６９８３公報、特開２００１−６９４５４公報、特開２００２−１８９７５７公報を挙げる。
【０００３】
特開平１１−２０３７８３号公報には、第１にディスク型記録媒体を用い、第２に半導体記録媒体を搭載し、音声と画像情報とを一旦該半導体記録媒体に記録し、該音声情報の記録時間の管理情報を音声情報に付加記録し、該画像情報の記録時の音声の状態を記録する位置情報を画像情報に付加記録し、該音声と画像情報とを記録管理し、再生時は音声と画像情報を記録順に並べ半導体記録媒体に記録し、その後音声情報の再生と同時に記録した際最初の画像情報を、位置情報に関わらず再生表示し、別の画像情報が位置情報で決めたタイムスケジュールで再生するまで該最初の画像情報を表示する技術が開示されている。
特開平９−２３８３０３号公報には、撮像手段により被写体を撮像して出力し、該撮像した画像データを画像データ符号化手段により符号化し、一方、音声入力手段により音声を電気信号に変換し、該電気信号に変換された音声データを音声データ符号化手段により符号化して、登録手段では、符号化された画像データを画像ファイルとして、符号化された音声データを音声ファイルとして記憶手段に記録する際に、画像ファイル及び音声ファイルの関連を示す関連情報を含むファイル名で登録する技術が開示されている。
特開平１１−１３６６２３号公報には、静止画像と音声データを同時に記録する音声付き静止画記録モードを備えたデジタルスチルカメラが開示されている。このデジタルスチルカメラは、被写体を撮像して画像データを生成するＣＣＤやＡ／Ｄ変換器等と、音声を電気信号に変換して音声データを得るマイクやＤ／Ａ変換器等と、画像データを所定形態で画像データファイルとし、音声データを所定形態で音声データファイルとして格納するカードメモリと、を備え、ＣＰＵは、音声付き静止画記録モードを選択した場合に、画像データファイル及び音声データファイルの一部に、音声付き静止画記録モードの関連情報を記録するようになっている。
【０００４】
特開２０００−１９６９８３公報には、光電変換素子と、この光電変換素子からの信号を画像データに変換するための画像データ変換部と、この画像データ変換部からの画像データとファイル名（ファイル名称＋連番）のデータとを記憶する記憶部と、この記憶部からの画像データを復元するための画像復元部と、この画像復元部において復元された画像等を表示させる表示部と、これらを制御する制御部と、ファイル名称の入力と、制御部にファイル名のデータに関する指示とをするための入力手段（文字キー・変換キー・入力キー）とを備えており、制御部は、新たなファイル名に関するデータを入力する際の手間を少なくするためのプログラムを記憶したプログラムメモリとこのプログラムによって制御を行うＣＰＵとを有している技術が開示されている。
特開２００１−６９４５４公報には、撮影情報を取得して（Ｓ１）、イメージデータに変換し（Ｓ２）、デジタルカメラに予め記憶されている固定ファイル名を取り出してメモリカードを検索し（Ｓ３）、固定ファイルに書き込まれている付加情報をイメージデータに変換し（Ｓ４、Ｓ５）、その後、撮影画像のＹ成分を抽出し（Ｓ６）、イメージデータ化された撮影情報を透かしデータ化してＹ成分に合成し（Ｓ７）、さらに、イメージデータ化された付加情報を透かしデータ化してＹ成分に合成して（Ｓ８）、撮影画像のＹ成分と置換する（Ｓ９））技術が開示されている。
特開２００２−１８９７５７公報には、静止画像データとメタデータを含んで構成される検索対象データを登録したデータベースに対してデータ検索するデータ検索装置において、設定された検索条件と、前記データベースに登録された各検索対象データに含まれるメタデータとに基づいて検索対象データの検索が行われ、この検索の実行に際して行われる、検索対象データのサムネイルの一覧表示において、実在しない検索対象データの登録があればこれを削除し（Ｓ７０２、Ｓ７０６）、データベースに登録されておらず、所定の論理領域に格納された検索対象データがあればそれをデータベースに登録する（Ｓ７１３））技術が開示されている。
【特許文献１】特開平１１−２０３７８３号公報
【特許文献２】特開平９−２３８３０３号公報
【特許文献３】特開平１１−１３６６２３号公報
【特許文献４】特開２０００−１９６９８３公報
【特許文献５】特開２００１−６９４５４公報
【特許文献６】特開２００２−１８９７５７公報
【発明の開示】
【発明が解決しようとする課題】
【０００５】
しかしながら、前記従来の関連方式は、ひとつの親ファイルに複数の子ファイルを連結できるが、親ファイルの記録を終了させたり、撮影モードを変更したり、装置の電源をオフした場合に、親ファイルのファイル名がＲＡＭから消えてしまうので、次に撮影するデータは、関連情報がなくなってしまい、関連情報を継続できないという問題点があった。
本発明の目的は、複数の子ファイルが連結されている親ファイルの記録を終了させたり、撮影モードを変更したり、装置の電源をオフした場合であっても、あるファイルを親ファイルとし、この親ファイルに対して子に相当するファイルを子ファイルと関連づける関連付け情報を保持し、関連記録を継続できるデジタルカメラを提供することにある。
本発明の他の目的は、実際に撮影した時間にとらわれず、より長い期間中に記録したデータを関連付けできるデジタルカメラを提供することにある。
【課題を解決するための手段】
【０００６】
上述の目的を達成するために、請求項１記載の発明は、少なくとも静止画データの記録機能或いは再生機能の他に、動画データ或いは音声データの記録機能或いは再生機能を持つと共に、これらの静止画データ或いは動画データ或いは音声データにおいて同種或いは異種の複数のデータを、同時或いは所定の順で記録するための継続モードを持っており、この継続モードに基づいて前記複数のデータを関連付けて記録若しくは再生可能とする画像撮影装置であって、前記継続モードは、前記継続モードを用いた第１のデータの記録後に、該第１のデータの関連付け情報を維持し、前記継続モードを用いない第２のデータの記録を行った後に、再度、前記継続モードが選択された場合には、新たに記録する第３のデータを、前記第１のデータに対して関連付けさせる機能を有することを特徴とする。
この画像撮影装置によれば、継続モードでデータを記録した後に、非継続モードに変更し、再度継続モードに戻したときであっても、関連付け情報を保持しているので、再度継続モードに変更すれば、第３のデータを第１のデータに関連付けすることができ、前のデータに対していちいち関連付けをセットし直す手間をかけること無く撮影できる。このため、例えば、ある物或いは人或いは画像や音声等に関する静止画データに、各種音声データやその他の静止画データを関連付けて、当該物或いは人物等に関わるデータとして纏める場合に、データ同士の整理が非常に簡単であり、取材用カメラにとって非常に便利となる。
また、請求項２記載の発明は、請求項１に記載の画像撮影装置であって、関連付けされる前記複数のデータは、通常静止画モード、通常動画モード、通常音声モード、継続静止画モード、継続動画モード、継続音声モード、再生モードの内の少なくとも１つのモードにより、処理されるものであることを特徴とする。
したがって、関連付け撮影の間にも、通常の撮影を行えると共に、簡単に関連付け設定に復帰でき、ある静止画データ或いは動画データ或いは音声データの同種又は異種のデータ相互間において容易に関連付けを行うことが可能となるので、取材用カメラなどに非常に便利となる。
【０００７】
また、請求項３記載の発明は、請求項２に記載の画像撮影装置であって、撮影・再生動作を禁止した低消費電力の電源停止状態を経ても、前記関連付け情報が、保持され、再び継続モードになった場合には、前記関連付け情報に従い関連記録機能が実施されることを特徴とする。
したがって、装置の電源をオフしても、簡単に関連付け設定に復帰できるので、取材用カメラに非常に便利となる。
また、請求項４記載の発明は、請求項２に記載の画像撮影装置であって、前記関連付け情報に、関連付け記録されたデータの相互の時間や個々の記録された時刻などの時間情報が含まれることを特徴とする。
したがって、再生時に関連付け情報で、検索や記録順番による自動再生が可能となるので、プレゼンテーション等の用途に非常に便利となる。
また、請求項５記載の発明は、請求項２に記載の画像撮影装置であって、前記継続モードにおいて、複数の関連付け情報が選択されることを特徴とする。
したがって、複数の関連付け撮影を行えるので、取材用カメラに非常に便利となる。
また、請求項６記載の発明は、請求項２に記載の画像撮影装置であって、前記継続モードでは、動画や音声録音の連続データが記録されると共に、静止画が記録されることを特徴とする。
したがって、録音取材中に重要な静止画などを撮影し、関連付けることができるので、取材用カメラに非常に便利となる。
また、請求項７記載の発明は、請求項２に記載の画像撮影装置であって、前記関連付け情報が、ファイル内に情報として記録されることを特徴とする。
したがって、関連付け情報がファイル内にあれば、別途関連付けデータの管理などが容易となり、装置が安価にできる。
【発明の効果】
【０００８】
以上の説明から理解されるように、本発明によれば、関連付けを保持することで、いつでも関連付け条件を呼び出せ、いちいち関連付けをセットし直すことが無く撮影できるようになる。
また、関連付け撮影の間にも、通常の撮影を行えると共に、簡単に関連付け設定に復帰できるので、取材用カメラに非常に便利となる。
また、装置の電源をオフしても、簡単に関連付け設定に復帰できるので、取材用カメラに非常に便利となる。
また、再生時に関連付け情報で、検索や記録順番による自動再生が可能となるので、プレゼンテーション用途に非常に便利となる。
また、複数の関連付け撮影を行えるので、取材用カメラに非常に便利となる。
また、録音取材中に重要な静止画などを撮影し、関連付けることができるので、取材用カメラに非常に便利となる。
また、関連付け情報がファイル内にあれば、別途関連付けデータの管理などが容易となり、装置が安価にできる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
以下に添付の図を参照してこの発明の実施形態を詳細に説明する。
図１は、本発明によるデジタルカメラの一実施形態の構成図である。
図１に示すように、このデジタルカメラは、レンズ１と、メカニカルシャッタ２と、ＣＣＤ３と、ＣＣＤ信号を相関二重サンプリングしてサンプリングした信号をＡ／Ｄ変換するＣＤＳ・ＡＤ部４と、Ａ／Ｄされたデジタル信号を輝度Ｙ、色差Ｕ、Ｖ信号に変換したり、そのＹＵＶデータをＪＰＥＧ圧縮するデジタル信号処理を行うＤＳＰ部５と、レンズ１を駆動するフォーカス駆動とメカニカルシャッタ２のシャッタ開閉動作を行うメカニカル部を駆動するドライバ部６と、ＣＣＤ駆動回路部７と、カメラ全体を制御するＣＰＵ８と、撮像した画像データ、ファイルからのリードデータを一時期保持するためにＤＳＰ部５及びＣＰＵ部８のワークメモリとして使われるメモリ９と、カメラ外部との通信ドライバ部１０と、カメラに着脱可能なメモリカード１１と、ＤＳＰ部５からの映像出力信号をＬＣＤに表示可能な信号に変換する表示コントローラ及び実際にその映像を表示するＬＣＤを備えた表示部１２と、カメラユーザが操作する各種のスイッチからなるＳＷ部１３と、カメラに接続される第１の外部装置１４（例えば、パソコンなど）と、この第１の外部装置１４に接続される第２の外部装置１５（例えば、電話やパーソナルコンピュータの周辺機器など）と、.入力アナログ部１７からの信号をデジタル変換して、ＤＳＰ５に送信したり、またＤＳＰ５から受信したデジタル音声データをアナログ変換して出力アナログ部１８へ出力する音声ＣＯＤＥＣ１６とを有している。
上記ＣＤＳ・ＡＤ部は、Correlated Double Sampling signal Analog-Digital converterであり、相関二重サンプリングにより画像ノイズをキャンセルした信号のアナログデジタル変換部である。ＹＵＶデータは輝度・色差・vertical信号からなるデータである。ＤＳＰはDigital Signal Processorである。ＬＣＤはLiquid Cristal Displayであり、ＣＯＤＥＣはCOde and DECode deviceである。
また、第１の外部装置１４として表示装置（モニターなど）を接続すれば、カメラ本体の表示部１２に写る画像をより大きな画像として表示したり、表示部１２を無くすことも可能である。また、第１の外部装置１４にカメラ本体内の電池を充電する充電回路を内蔵させても良い。
【００１０】
次に、前記構成のデジタルカメラの動作について図２〜図１１を参照して説明する。
図２は、図１に示したデジタルカメラの機能ブロック図であり、図３はＳＷ部１３に含まれるダイヤルスイッチの説明図である。図４は、機能モード選択処理の動作フローチャートである。ＳＷ部１３には、ダイヤルスイッチの他にシャッタ釦の第１スイッチ（以下、第１ＳＷと略す。）或いは撮影を行う第２スイッチ（以下、第２ＳＷと略す。）並びに電源スイッチ等のその他のスイッチが備えられている。
まず、ＳＷ部１３のダイヤルスイッチは、例えばカメラのボディ表面に配置される円形のダイヤルであり、中央部の中心軸を中心として回転させて所望のモード位置で停止することによって、機能モードを選択するスイッチである。ダイヤルスイッチが停止した位置のスイッチ信号は、撮影時のモードを決める機能を持っている。
ＳＷ部１３のダイヤルスイッチは、図３に示す通り、通常静止画モード、通常動画モード、通常音声モード、継続静止画モード、継続動画モード、継続音声モード、さらに再生モードが選べるようになっている。
すなわち、ダイヤルスイッチは、記録モードと再生モードとを有する。記録モードには、通常ダイヤルモード（通常静止画モード、通常動画モード、通常音声モード）と、継続ダイヤルモード（継続静止画モード、継続動画モード、継続音声モード）とがある。通常ダイヤルモードとは、静止画、動画、音声の記録モードにおいて、記録される複数のデータ同士に同時再生や再生順序の関連付けが行われないモードであり、継続ダイヤルモードとは、静止画、動画、音声の記録モードにおいて、記録される複数のデータ同士において、同時再生や再生順序の関連付けが行われるモードである。
また、第１ＳＷと第２ＳＷはシャッターボタンに設けられており、シャッターボタンを所定の深さまで押すと、第１ＳＷがＯＮし、更に深く押すと第２ＳＷがＯＮする。第１ＳＷはデジタルカメラのオートフォーカス等を設定するスイッチであり、第２ＳＷは実際にデータを記録する動作の決定を行うスイッチである。
【００１１】
図４はカメラの撮影や再生の処理を行うためのメイン処理の工程を示す。先ず、カメラの電源スイッチがＯＮされると、図示しないカメラ内部のハードウェア初期化や、カード内のファイル情報をメモリ９内に作成するなどの記録準備処理が行われ、その後、メイン処理が開始される。
上記メイン処理は、ステップ１０１からステップ１０９までの全体的な処理を意味する。メイン処理の開始後、ステップ１０１において、図３のダイヤルスイッチが選択した機能の判定が行われる。このステップ１０１において、ダイヤルスイッチの選択機能が判定されると、図４のフローに従って、選択された機能の処理が行われる。
ここでは、まず、通常ダイヤルモード動作（通常静止画モード、通常動画モード、通常音声モード）について説明する。
すなわち、通常ダイヤルモード動作では、継続記録フラグがクリアされ（ステップ１０２）、記録メイン処理が実行される（ステップ１０３）。
【００１２】
図５は、図４に示した記録メイン処理（ステップ１０３）のフローチャートである。本実施形態では、記録メイン処理は、静止画、動画、音声を記録できる。
図５の記録メイン処理２００では、まずモード切換があるかないかをチェックする（ステップ２０１）。このモード切換チェックにおいて、モード切換がない場合、表示部１２に画像が表示されているかどうかについてモニタリング状態をチェックする（ステップ２０２）。ステップ２０１のモード切換の判定において、モード切換があったときは、前回モード判定の有無を判定する（ステップ２２３）。ステップ２２３で前回モードが継続音声以外であれば、ステップ２２２に移って記録停止処理を行って記録メイン処理２００を終了する。ステップ２２３で前回モードが継続音声ならば、ステップ２２２記録停止処理を実行せず、記録メイン処理２００を終了する。
ステップ２０２のモニタリングのチェックにおいて、モニタリングが停止した状態であって、シャッターボタンのＡＥ・ＡＦ処理を行う第１ＳＷのＯＮ・ＯＦＦをチェックする（ステップ２０３）。このチェックにおいて第１ＳＷがＯＮであれば、ステップ２０６のＳＷ判定処理に移る。
ステップ２０３において第１ＳＷがＯＦＦであれば、メモリカード１１への記録中であるかどうかをチェックし（ステップ２０４）、記録中であれば、ステップ２０６のＳＷ判定処理に移る。ステップ２０４のチェックにおいて、記録中でなければ、ステップ２０５に移行し、ステップ２０５においてモニタリングを開始させる処理を行った後に、ＳＷ判定処理２０６に移る。
【００１３】
上述のモニタリング処理では、カメラのスルー画像（レンズを通してＣＣＤでとらえた画像をカメラの表示部１２に表示した画像）を表示部１２に表示する際にＡＥ、ＡＷＢ（ＡＥ＝Automatic Exposure、ＡＷＢ＝Automatic White Balance）の追尾処理が実行される。このモニタリング処理により、カメラの表示部１２に表示されている画像は、いつも適正な明るさ、自然な色合いに保たれる。
ＡＥ、ＡＷＢ追尾処理とは、具体的には、撮像部のデータからデジタル画像処理部で、各ＡＥ、ＡＷＢに対する評価値をＣＰＵ８で取得し、その値が所定値になるように、ＣＣＤ駆動回路７に露光時間をセットしたり、ＤＳＰ部５における画像処理色パラメータを調節したりするフィードバック制御を行う処理をいう。
ステップ２０６のＳＷ判定処理部２０（図２参照）は、２０ｍｓごとの定期タイマ割り込み処理によって入力されるＳＷ情報を確定した後、確定したＳＷ情報を動作モード判断部２１に出力する。動作モード判断部２１は、撮影時のＡＥ／ＡＦ（Auto Focus）処理部２２、静止画記録処理部２３、動画記録開始処理部２４、動画記録終了処理部２５、音声記録開始処理部２６、音声記録終了処理部２７の各処理ブロックに作業を振り分ける（ステップ２０７、２０８）。
すなわち、図１のＳＷ部１３にはシャッタ釦がある。シャッタ釦は、第１ＳＷと第２ＳＷの２段階になっている。
静止画撮影時の場合、シャッタ釦の押圧により第１ＳＷがＯＮされると、モニタリングが停止され（ステップ２０９）、ＡＥ／ＡＦ処理が行なわれる（ステップ２１０）。ここでは、ＣＰＵ８は、ドライバ部６でレンズ１を動かしフォーカスを合わせ、撮像データをＤＳＰ部５で評価し、ＣＣＤ駆動回路部７に設定するＣＣＤの露光時間値を決める。
【００１４】
図５のステップ２０６のＳＷ判定処理において、ステップ２０９、２１０の終了後は、再び、ステップ２０１、２０２の処理を経てステップ２０６のＳＷ判定処理に戻る。ステップ２０６のＳＷ判定処理において、無効な操作のために有効なＳＷ情報がなければ、再び、ステップ２０１、２０２を経てステップ２０６のＳＷ判定処理に戻るループを繰り返す。
そして、ステップ２０６のＳＷ判定処理において、シャッターボタンが最奥部まで押されることによって、撮影画像を決定する第２ＳＷがＯＮすると、ステップ２０８の動作モード判断が行われる。
ステップ２０８の動作モード判断において、静止画像の記録処理が選択されている時には、静止画記録処理が行われる。
この静止画像処理はステップ２１１、２１２で行われる。ステップ２１１では静止画の記録処理が行われ、ステップ２１２では静止画の画像データをカードに記録することが実行される。ステップ２１１の静止画の記録処理において、ＣＣＤ撮像データは、ＤＳＰ部５によって画像処理、圧縮まで行われ、メモリ９に書き込まれる。ステップ２１２において、ＣＰＵ８は、ＣＣＤ撮像データの画像圧縮データがメモリ９に格納されると、画像圧縮データをメモリカード１１に書き込む。
図６は、静止画記録におけるレリーズ操作からカード記録処理までのタイミングチャートを示す図であり、横軸は時間を示し、縦軸はＯＮ・ＯＦＦの違いを示す。レリーズ１操作からカード記録処理までのタイミングチャートにおいて、信号の立ち上がりから立ち下がりまでの区間はＯＮを表し、長い直線部はＯＦＦを表している。
【００１５】
次に、動画記録について図２を用いて説明する。図２では、メイン処理ブロックと、実際の記録動作を行う併行処理ブロックが併行して動作する。動画、音声記録の場合には、メイン処理ブロックは、並行処理ブロックの動画記録処理部２８、音声記録処理部２９に対して、実際の記録動作の開始・終了の制御を行う。
開始時は、メイン処理ブロックは併行処理ブロックの記録処理を起動する。並行処理ブロックの記録動作が開始されると、メイン処理ブロックは、上述した図５におけるＳＷ判定処理のループを繰り返す。
停止時は、メイン処理ブロックは、併行処理ブロックの記録処理終了を指示し、並行処理ブロックから記録処理の終了完了通知を受けるのをまつ。
記録動作時において、ＤＳＰ部５は、１秒間に、例えば１５枚の画像を圧縮して、メモリ９に書き込む。それと併行して、マイクを含む入力アナログ部１７からの入力データが、音声ＣＯＤＥＣ１６でデジタル変換されるので、ＤＳＰ部５はそのデジタル音声データもメモリ９に書き込む。ＣＰＵ８は、例えば１秒間のメモリ９内の動画と音声データを１パッケージとして、メモリカード１１に書き込む。この作業と併行して、ＤＳＰ部５は次の１秒間の動画データと音声データをメモリ９内の別のエリアに書き込んでいる。
動画記録中に第１ＳＷがオンされると、前記動画記録を停止して、ＣＰＵ８は、メモリ９内のデータをカード１１に書き込むと同時に、それまで書き込まれた動画と音声データを、カード内のファイル管理情報エリアにファイル登録して、動画ファイル記録を完了する。
前記動画記録処理を図５に合わせて説明する。動画記録処理の場合、ダイヤルスイッチは動画処理モードを選択している。ステップ２０６において、第１ＳＷがＯＮすると、ＳＷ判定処理部２０が第１ＳＷのＯＮを判定し、更に、ステップ２０７のモード判定において動画モードが判定される。この段階では、まだ動画記録中ではないので、ＡＥ／ＡＦ処理し（ステップ２１７）、終了後は、再びＳＷ判定処理に戻り、有効なＳＷ情報が入るまでは、何もせずにＳＷ判定処理に戻るループを繰り返す。
ステップ２０６において第１ＳＷがオン状態を継続したまま第２ＳＷがオンすると、ＳＷ判定処理部２０が第２ＳＷのＯＮを判断し（ステップ２０８）、ステップ２１３の動画の記録処理が行われた後、ステップ２１４の動画データと、音声データとを関連付けする関連情報更新処理がなされる。メイン処理は、ステップ２０６のＳＷ判定処理に戻るが、この間、併行処理ブロックの動画記録処理部２８が併行して実行され“記録中”という状態が継続される。
第１ＳＷと第２ＳＷは、オフされない限り、ステップ２０６のＳＷ判定処理では有効なＳＷ情報としては判定されない。第１ＳＷ、第２ＳＷが、一旦オフされたあと、再び第１ＳＷがオンされると、動画モードの第１ＳＷオン処理が実行される（ステップ２１５）。動画記録中の場合は、ステップ２０７の後のステップ２１５の判定において“記録中”であるとの判定がされるため、動画記録終了処理が実行される（ステップ２１８）。
ステップ２０６のＳＷ判定処理において、無効操作が行われるか、有効なＳＷ情報が入るまでは、何もせずにステップ２０１、２０２を経由して、再びステップ２０６のＳＷ判定処理に戻るループを繰り返す。
【００１６】
次に、図１に合わせて音声記録について説明する。音声記録の場合は、ダイヤルスイッチが音声記録モードを選択している。この状態で、第２ＳＷがオンされると、マイクを含む入力アナログ部１７からの入力データが音声ＣＯＤＥＣ１６でデジタル変換されているので、ＤＳＰ５は、その変換された音声データをメモリ９に書き込む。ＣＰＵ８は、その音声データを順次カード１１に書き込む。
音声記録中に再び第１ＳＷがオンされると、この処理を停止して、ＣＰＵ８は、それまで書き込まれた音声データを、カード内のファイル管理情報エリアにファイル登録して、音声ファイル記録を完了する。
前記音声記録処理を図５に合わせて説明すると、第２ＳＷをオンすると、ＳＷ判定処理で、第２ＳＷのオン処理が判定され（ステップ２０６）、さらに、動作モード判定で音声モードを判定して（ステップ２０８）、第２ＳＷのオン処理に伴って音声記録開始処理が実行される（ステップ２１９）。このステップ２１９の後に、メイン処理は、ステップ２０１、２０２を経由してステップ２０６のＳＷ判定処理に戻るが、図２の併行処理ブロックの音声記録処理は、併行に実行され、“記録中”状態を続ける。
また、第１ＳＷ、第２ＳＷはオフされない限り、ＳＷ判定処理では有効なＳＷ情報としては判定されない。第１ＳＷ、第２ＳＷが、一旦オフされたあと、再び第１ＳＷがオンされると、音声モードの第１ＳＷオン処理が実行される。この場合は、“記録中”であるため、音声記録終了処理が実行される（ステップ２２０、２２１）。
尚、動画記録、または音声記録動作中にダイヤルモードが切り換えられた場合は、前述の定期的なタイマ割り込み処理によってこのダイヤルモードの切換が検知される（ステップ２０１）。ステップ２０１においてモード切換ありと判定され、ステップ２２２において記録停止処理を行う。
【００１７】
次に、関連付け情報（ファイル名）が、継続記録モード以外のモードを経ても保持され、再び継続モードになった場合には、関連付け情報に従い、関連記録機能を実施できる機能について説明する（請求項１、２の説明）。
本実施形態では、ファイル名が、各ファイルの関連付けを行う関連付け情報となっている。
ここで、各ファイルを関連付けすることにより、例えば、動画データファイル（若しくは静止画データファイル）と音声データファイルを同時的に再生したり、動画データファイル（若しくは静止画データファイル）と音声データファイルとの組を、所定の順番で再生したり、複数の音声データファイルを所定の順番で再生したり、複数の静止画データファイル同士の所定の順番で再生しうるように、複数のファイルの再生時期を調整して決めることが可能となる。具体的には、この関連付けを行うことによって、例えば、ある画像データに音声データ或いは画像データを同時に或いは時系列的に、ディスプレイ等により再生できるように編集できる。この関連付け機能は次にように行われる。
すなわち、静止画のファイル名を、simg@@_**.jpgとし、動画のファイル名を、mimg@@_**.aviとし、音声のファイル名を、sud@@_**.wavとする。ここで、@@は親番号で、**は子番号とする。そして、親番号@@が同じであれば、相互に関連付けされたファイルとみなし、また、子番号**は関連付けられた順番とする。親番号@@がついたファイルが１つしかない場合は、通常ダイヤルモードで記録されたファイルであって、他に関連性のあるファイルがないことを示す。装置は、通常ダイヤルモードで、且つ記録媒体（メモリ９）内にファイルがない場合は、親番号００、子番号０１から開始する。通常ダイヤルモードで、且つ記録媒体（メモリ９）内にファイルがある場合は、図７に示すファイル名更新処理３００で、記録媒体内の親番号を検索して、最大値に＋１を加算した番号を親番号とし、子番号を０１とする。
通常ダイヤルモードで、記録媒体（メモリ９）内にファイルがない状態で、静止画を２枚撮影した場合は、simg01_01.jpg、simg02_01.jpgの２つのファイルが記録媒体に記録される。図１１に、機能モードの移行に伴う関連付け情報（ファイル名）の説明図を示す。
【００１８】
次に、継続ダイヤルモードでの動作について、図４を用いて説明する。先ず、ダイヤルがどのモードにセットされているかを判断する（ステップ１０１）。通常ダイヤルモードの場合、図４のステップ１０２において継続記録フラグを０にセットし、ステップ１０３において図５に示した記録メイン処理を行う。再生モードの場合、図１０に示した再生メイン処理（ステップ６００）を行う。
継続ダイヤルモードの場合、図４のステップ１０４において継続記録フラグを１にセットし、ステップ１０５に移行する。ステップ１０５の継続記録メニュー処理のサブルーチンは図８のステップ４００以降に示されている。
図８の継続記録メニュー処理では、現在の継続モード状態を表示し、操作者に、継続続行、新規・停止を選択操作させる（ステップ４００）。ここで、初めて記録する場合は停止・新規を選択し（ステップ４０１）、関連情報を作成する（ステップ４０２）。
図８のステップ４０２に示した関連情報作成においては、記録媒体内のファイルの親番号を検索して、最大値に＋１加算をして関連情報として保持する。子番号は００にする。例えば、上記で説明したsimg01_01.jpg、simg02_01.jpgの２つのファイルが記録媒体にある状態では、親番号は０３となる。
そして、ステップ４０２において関連情報を作成した後のステップ４０３において継続記録が新規であれば、メイン処理１００のステップ１０５の継続記録メニュー処理を終了させ、図４に示した記録メイン処理１０７を開始する。ステップ４０３において継続記録が停止であれば、ファイル連結を行って継続記録メニュー処理１０５を終了させて、図４の記録メイン処理１０７を開始する。図４の記録メイン処理１０７の詳細は図５に示される。（記録メイン処理１０３と記録メイン処理１０７は、同じ処理である。）図５において、静止画を撮影した場合には、ステップ２０８、ステップ２１１の処理を行った後にステップ２１２のカード記録処理を行う。このステップ２１２のカード記録処理のサブルーチンは、図７に示される。
【００１９】
図７のカード記録は、データ記録処理の後にモードが判断され、継続モードである場合には、静止画関連情報更新（ステップ３０１）が行われた後、撮影データの記録処理が行われて、カード記録処理のサブルーチンが終了してメイン処理２００に戻る。ステップ３０１の静止画関連情報更新においては、子番号に＋１を加算処理する。これによって、ファイル名simg03_01.jpgの静止画データがメモリカード１１等の記録媒体に記録される。
その後モード切換が行われるまで、図５の記録メイン処理２００をループする。記録メイン処理２００のステップ２０６において、第１ＳＷも第２ＳＷもＯＮされない無効操作の場合にも同様に図６の記録メイン処理２００をループする。
この記録メイン処理２００のループ中にダイヤルを継続動画に切り換えると、ステップ２０１でモード切換有りと判断され、記録メイン処理２００から抜けて、図４のメイン処理１００のステップ１０１に戻る。そして、メイン処理１００において、ステップ１０１の判定では、継続ダイヤルモードであるので、ステップ１０４を処理した後に、ステップ１０５の継続記録メニュー処理１０５に入る。継続記録メニュー処理１０５の詳細は、既に述べたとおり図８に示される。継続記録メニュー処理１０５のサブルーチンにおいて、ステップ４００で継続中であることが表示され、ステップ４０１に移る。ステップ４０１で続行を選択すると、継続記録処理１０４のサブルーチンを終了して、図４のメイン処理の記録メイン処理１０７に戻る。
記録メイン処理１０７のサブルーチンである記録メイン処理２００に入る。記録メイン処理２００において、第１ＳＷ、第２ＳＷが続けてＯＮされ、ステップ２０８で動画が選択されると、ステップ２１３の動画記録開始処理が行われた後、ステップ２１４の動画、音声関連情報更新がなされる。ステップ２１４の動画、音声関連情報更新がなされると、上記の例では親番号は０３とままとされ、子番号に＋１加算処理されてデータファイル名mimg03_02.aviがメモリカード１１に記録される。記録メイン処理２００のサブルーチンは、モード切換が行われるまで、ループする。
この記録メイン処理２００のサブルーチンのループの中で、ダイヤルを通常静止画（非継続モード）に切り換えると、記録メイン処理２００から抜けて、再度、図４のメイン処理１００のステップ１０１に戻る。
【００２０】
ここで、非継続モードであるので、継続記録フラグがクリアされて（ステップ１０２）、記録メイン処理１０３に入る。１枚静止画を撮影すれば、smig04_01.jpgがメモリカード１１（記録媒体）に記録される。
この後、再度ダイヤルを継続静止画モードにすると、前述の通り、図４のステップ１０１の判断に入り、継続記録フラグを１にした後、ステップ１０５の継続記録メニュー処理を行って、ステップ１０７の記録メイン処理（図５の記録メイン処理２００のサブルーチン）を行う。静止画を撮影したら、ステップ２１２のカード記録処理を行う。
図７はこのカード記録処理２１２のサブルーチンの処理内容を示す。撮影した静止画は継続モードであるので、ステップ３０１の静止画関連情報更新を行う。この静止画関連情報更新により、静止画データのファイル名の親番号は関連情報で保持している「０３」を使用する一方、子番号に＋１を加算する。これによって、この静止画データのファイル名は、simg03_03.jpgとなり、静止画データとしてメモリカード１１に記録される。
図７のカード記録のサブルーチンにおいて、非継続モードである場合には、ファイル名の更新処理を行った後（ステップ３００）、ファイルの記録処理が行われて、カード記録処理のサブルーチンが終了して記録メイン処理２００に戻る。
【００２１】
次に、撮影、再生動作を禁止した低消費電力の電源停止状態について説明する（請求項３の説明）。
すなわち、装置の電源ＳＷをオフに切換えた場合に、関連情報は装置の不揮発性メモリに記憶される。また、関連づけられたファイルsimg03_01.jpg、simg03_02.jpg、mimg03_03.aviをひとつのファイルに連結する処理をして、記録媒体に記録してもよい。電源オフ状態は、装置を制御しているＣＰＵ以外の電源をオフして、撮影、再生を禁止し、低消費電力にした状態となるので、装置内の揮発性メモリに記憶されている関連情報なども消滅する。
次に、これも図示しないが、電源ＳＷをオンに切換えた時に、不揮発性メモリに記憶している関連情報を装置内の揮発性メモリにコピーする。継続ダイヤルモードにした場合は、例えば、前述したファイル名simg03_03.jpgの静止画データを記録した状態で、電源停止状態に入り、電源オンした場合は、図８のステップ４００継続記録メニュー処理にて、継続処理の親番号03と子番号03を、継続情報として表示し、ステップ４０１にて、継続続行を選択されれば、これまでの説明の通りの動作をする。すなわち、継続静止画を撮影すれば、親番号は関連情報で保持している「０３」を使用し、子番号は関連情報で保持している「０３」に＋１を加算するので、simg03_04.jpgが記録媒体に記録される。
次に、関連付け情報に、関連付け記録されたデータの相互の時間関係や個々の記録された時刻などのタイミング情報が含まれる機能について説明する（請求項４の説明）。
前述の通りに、子番号は記録したタイミングの順番といえる。また、装置に時計情報をもっていれば、simg03_01.jpg、simg03_02.jpg、mimg03_03.avi、simg03_04.jpgを記録した時刻もそれぞれ関連情報内に記録できる。ダイヤルが再生の場合、子番号の順番にソートしたり自動再生することもできる。
次に、継続モードにおいて、複数の関連付け情報を選択できる機能について説明する（請求項５の説明）。
また、関連情報は、複数グループの関連情報を保持することもできる。図４の継続メニュー処理（ステップ１０５）の詳細説明である図８を用いて説明する。継続記録メニューで、新規の継続を選択すれば、図８の関連情報作成処理４０２で、親番号として、例えば０５を作成できる。また、親番号選択操作機能をメニューにもたせれば、再び親番号として、例えば０３を選択して、追加して関連記録が可能となる。
【００２２】
次に継続モードでは、動画や音声録音の連続データを記録すると共に、静止画を記録できる機能について説明をする（請求項６の説明）。
今、ダイヤルを継続音声モードにセットし、新規の親番号０５を作成したとする。この時、装置は、関連情報作成において関連情報として親番号０５、子番号００の他に孫番号００を確保する。その後、記録メイン処理（ステップ１０７）を行う。前述のように、記録メイン処理１０７の詳細は図５の記録メイン処理２００に示されている。
図５において、第２ＳＷがＯＮされる（ステップ２０６）と、動作モード判断（ステップ２０８）で音声記録開始処理（ステップ２１９）に進み、音声記録開始処理が実行される。
その後、動画、音声関連情報更新（ステップ２１４）に進む。図９の動画、音声関連情報更新処理５００で、孫番号に＋１加算され、親番号が０５、子番号が００、孫番号が０１となる（ステップ５０１、５０２、５０３）。
この後、ダイヤルを継続静止画モードに切り換えると、図５のダイヤルのモード切換判定（ステップ２０１）において、有りの方向に進む。前回のモード判定（ステップ２２３）において、前回のモードは音声であるので、録音を続けたまま、図５の記録メイン処理を終了し、図４のダイヤルモード判定（ステップ１０１）に戻る。
このダイヤルモード判定において、ダイヤルが継続モードであるので、再び、記録メイン処理（ステップ１０７）に入り、図５の記録メイン処理２００を実行する。即ち、すなわち、音声を記録しながら第１、二ＳＷで静止画を記録できる。
静止画を記録した場合（ステップ２１１）は、カード記録（ステップ２１２）、すなわち、図７の処理を実行する。図７の静止画関連情報更新処理３０１で、親番号０５、子番号０１、孫番号０１となり、simg05_01_01.jpgが記録される。
この後、ダイヤルを継続音声モードに切り換えると、前述のように、図５のモード切換判断（ステップ２０１）にて「あり」の方向に進み、記録メイン処理を終了し、図４のダイヤルモード判定（ステップ１０１）を継続ダイヤルモードに進むことにより、再度記録メイン処理に戻ってくる。第１ＳＷオンで音声記録終了処理を実行する。この時、音声は、sud05_02_01.wavとして記録される（ステップ２０７、２２０、２２１）。
【００２３】
次に、関連付け情報を、ファイル内のメモ情報として記録する機能について説明する（請求項７の説明）。
すなわち、本実施形態では関連付けをファイル名で行っているが、それと同等の情報を、各ファイル内、又は結合した１つのファイル内に記録することもできる。
次に、図４の再生モード１０９における再生メイン処理について説明する。
図１０は、再生時のメイン処理のフローチャートである。
この再生時メイン処理６００は、定常的にループしており、ＳＷ（スイッチ）判定処理６０１で、ユーザが操作したＳＷ情報を確定して、動作モード判断処理６０３にその情報を渡す。
前記ＳＷ判定処理６０１は、２０ｍｓごとの定期タイマ割り込み処理で入力されるＳＷ情報を確定している。動作モード判断処理６０３では、確定されたＳＷ情報により、それに対応してソフトウェア処理フローのように、各処理に振り分けられる。駒送り操作であれば、再生駒番号決定処理６０４で、再生すべき駒番号が決定され、それをスチル再生表示する。駒ファイルが静止画、又は音声メモモードによる音声付き静止画の場合は、その画像を再生する。
動画の場合は、先頭の１フレームの画像を再生して、スチル状態となる（ステップ６０５）。音声の場合は、例えば、既成の青色の画面表示を再生する。
スチル再生完了後は、再びＳＷ判定処理にもどり、なにも有効なＳＷ起動がない場合は、動作モード判断でもなにもせず、再びＳＷ判定処理にもどる。
もし、動画スチル中で、レリーズ釦を操作された場合は、動画再生開始処理６０６が実行される。これは、図２の併行処理ブロックの動画再生処理部３０を起動するだけで、メイン処理自体は、その後も、再びＳＷ判定処理を繰り返すループとなる。
このように、メイン処理部は併行処理ブロックの各処理の開始と停止を制御するだけで、実際の処理はメイン処理部と併行に動作する併行処理ブロックが行われる。動画再生中にレリーズ釦をオンされたら、メイン処理内で動画再生停止処理６０７が実行され、それにより、併行処理ブロックの動画再生処理部３０が停止され、その時再生していたフレームを表示したスチル状態となる。
音声再生に関しても、上述の動画と同様に、メイン処理から、併行処理ブロックの音声再生処理の開始、停止が制御される構成になっている（ステップ６０８、６０９）。音声メモモードによる音声付き静止画の場合も、音声付き静止画スチル中にレリーズ釦操作されると関連付けされている音声データを再生開始する。
【００２４】
次に、動画再生について説明する。
まず、図１に合わせて動画再生処理を説明すると、ＣＰＵ７はメモリカード１１から、１秒単位にパッケージングされた、動画と音声データをメモリ９に読み込む。動画データは、例えば、動画形式が１５フレーム／秒のMotion Jpegであれば、１５枚のＪＰＥＧデータである。音声データは１秒間の音声デジタルデータであり、例えば非圧縮で、８ＫＨｚ周期の１６ｂｉｔでサンプリング記録されたデータとすると１６Ｋバイトの連続したデータである。
ＤＳＰ部５は、メモリ９のＪＥＰＧデータを、記録フレームレートと同じレートで、１枚づつ伸長して伸長データをメモリ９内の表示メモリエリアに格納する。ＤＳＰ部５は、メモリ９内の表示メモリエリアを表示部１２に表示する。また、ＤＳＰ部５は、メモリ９の音声データを、記録音声レートと同じレートで音声ＣＯＤＥＣ１６へ送り、アナログ出力する。
次に、音声再生について説明すると、音声再生処理においては、ＣＰＵ８はメモリカード１１から、順次音声データをメモリ９に読み込む。ＤＳＰ部５は、メモリ９の音声データを、記録音声レートと同じレートで音声ＣＯＤＥＣ１６へ送り、アナログ出力する。
【図面の簡単な説明】
【００２５】
【図１】本発明によるデジタルカメラの一実施形態の構成図である。
【図２】図１に示したデジタルカメラの機能ブロック図である。
【図３】機能モードを選択するダイヤルの説明図である。
【図４】機能モード選択処理の動作フローチャートである。
【図５】図４に示した記録メイン処理１０３のフローチャートである。
【図６】静止画記録のタイミングチャートである。
【図７】カード記録のフローチャートである。
【図８】関連情報作成処理のフローチャートである。
【図９】動画・音声関連情報更新理のフローチャートである。
【図１０】再生時のメイン処理のフローチャートである。
【図１１】機能モードの移行に伴う関連付け情報（ファイル名）の説明図である。
【符号の説明】
【００２６】
１…レンズ、２…メカニカルシャッタ、３…ＣＣＤ、４…ＡＤ部、５…ＤＳＰ部、６…ドライバ部、７…ＣＣＤ駆動回路部、８…ＣＰＵ、９…メモリ、１０…通信ドライバ、１１…メモリカード、１２…表示部、１３…ＳＷ部、１４…第１の外部装置、１５…第２の外部装置、１６…音声ＣＯＤＥＣ、１７…入力アナログ部、１８…出力アナログ部、２０…ＳＷ判定処理部、２２…ＡＥ／ＡＦ処理部、２３…静止画記録処理部、２４…動画記録開始処理部、２５…動画記録終了処理部、２６…音声記録開始処理部、２７…音声記録終了処理部、２８…動画記録処理部、２９…音声記録処理部、３０…動画再生処理部
【図１】
2004304777.tif 000003
【図２】
2004304777.tif 000004
【図３】
2004304777.tif 000005
【図４】
2004304777.tif 000006
【図５】
2004304777.tif 000007
【図６】
2004304777.tif 000008
【図７】
2004304777.tif 000009
【図８】
2004304777.tif 000010
【図９】
2004304777.tif 000011
【図１０】
2004304777.tif 000012
【図１１】
2004304777.tif 000013